(57)【要約】【課題】トラック群を記録単位とする瓦記録が適用された情報記録装置において、隣接するトラック群間に設けられたトラックを有効に利用すること。【解決手段】情報記録装置は、トラックを有する磁気記録媒体と記録制御手段とを具備する。記録制御手段は前記磁気記録媒体に対して、隣接するトラック同士の一部を重ね、且つ、隣接する複数のトラックからなるトラック群を複数定義し、前記トラック群のうちの第１のトラック群と当該第１のトラック群の隣となる第２のトラック群との間にトラックを設け、当該間に設けられたトラックに情報を記録するように制御する。【選択図】  図２
2012174325.tif 000002
【特許請求の範囲】
【請求項１】
トラックを有する磁気記録媒体と、
前記磁気記録媒体に対して、隣接するトラック同士の一部を重ね、且つ、隣接する複数のトラックからなるトラック群を複数定義し、前記トラック群のうちの第１のトラック群と当該第１のトラック群の隣となる第２のトラック群との間にトラックを設け、当該間に設けられたトラックに情報を記録するように制御する記録制御手段と、
を具備する情報記録装置。
【請求項２】
前記第１のトラック群と前記第２のトラック群との間に設けられたトラックは、前記第１のトラック群に含まれる複数のトラックのうち、前記間に設けられたトラックに最も近いトラックの一部に重ねて記録され、且つ、前記第２のトラック群に含まれる複数のトラックのうち、前記間に設けられたトラックに最も近いトラックの一部が重ねて記録される請求項１に記載の情報記録装置。
【請求項３】
前記情報は、前記第１のトラック群と前記第２のトラック群とに記録される情報とは独立した情報である請求項２に記載の情報記録装置。
【請求項４】
前記情報は、前記第１のトラック群と前記第２のトラック群との間で発生する磁気的干渉の影響を評価するための情報である請求項３に記載の情報記録装置。
【請求項５】
前記情報は、前記第２のトラック群に関する管理情報である請求項３に記載の情報記録装置。
【請求項６】
前記第１のトラック群と前記第２のトラック群との間に設けられたトラックは、前記第１のトラック群と前記第２のトラック群との間で発生する磁気的干渉を低減する請求項１乃至５の何れか１項に記載の情報記録装置。
【請求項７】
トラックを有する磁気記録媒体を具備する情報記録装置による情報記録方法であって、
前記磁気記録媒体に対して、隣接するトラック同士の一部を重ね、且つ、隣接する複数のトラックからなるトラック群を複数定義し、前記トラック群のうちの第１のトラック群と当該第１のトラック群の隣となる第２のトラック群との間にトラックを設け、当該間に設けられたトラックに情報を記録するように制御する情報記録方法。
【発明の詳細な説明】
【技術分野】
【０００１】
本発明の実施形態は、記録媒体に情報を記録する情報記録装置及び情報記録方法に関する。
【背景技術】
【０００２】
近年、情報記録装置の一例である磁気ディスク装置（以下、ＨＤＤとも称する）の高記録容量化を実現するための様々な技術が開発されている。この技術の一つに“瓦記録”と称される記録技術がある。瓦記録は、磁気ディスクへの情報の記録に際して、記録トラックを隣接トラックの一部に対して重ねて記録する記録方式である。瓦記録の採用により、ＴＰＩ（Track Per Inch）をより向上することが可能となる。
【０００３】
瓦記録では、複数の隣接するトラックからなるトラック群（以下、バンドとも称する）が記録単位として定義される。また、情報の記録が可能なバンドがスペアバンドとして少なくとも一つ確保される。あるバンドに記録された情報を更新する（書き換える）場合、更新対象の情報は、読み出されたバンドでなくスペアバンドに書き換えられる。そして、更新対象の情報が記録されていたバンドは、新たなスペアバンドとして利用される。つまり瓦記録では、スペアバンドの位置が転々と移動することになる。
【０００４】
またＨＤＤでは、記録トラックからの磁気的干渉により、記録トラックの隣接トラックの情報保持に影響を及ぼすＡＴＩ（Adjacent Track Interference）と呼ばれる問題が発生することがある。ＡＴＩにより、記憶された情報が破壊されることもある。例えば、瓦記録のようにＴＰＩが大きくなるほど、ＡＴＩの問題が顕著になる。そこで、隣のバンドとの境界トラックの幅をこのバンドに含まれる他のトラックよりも広くすることで、境界トラックに対しての隣のバンドの隣接トラックからのＡＴＩの影響を回避することが行われていた。換言すると、隣のバンドとの境界トラックは、このバンドに含まれる他のトラックの幅と同じトラックと所定幅の保護トラックとを含む構成とされることがあった。
【先行技術文献】
【特許文献】
【０００５】
【特許文献１】米国特許第７０８２００７号明細書
【発明の概要】
【発明が解決しようとする課題】
【０００６】
ところが従来は、バンド間に設けられた保護トラックは、単にＡＴＩの影響を回避するために利用されていた。換言すると、ＡＴＩの影響を回避するため保護トラックは、これ以外の用途に利用されていなかった。すなわち従来の技術は、瓦記録が適用されたＨＤＤにおいて、バンド間に設けられた保護トラックを有効に利用することが困難であった。
【０００７】
そこで本発明が解決しようとする課題は、トラック群を記録単位とする瓦記録が適用された情報記録装置において、隣接するトラック群間に設けられたトラックを有効に利用することができる情報記録装置及び情報記録方法を提供することである。
【課題を解決するための手段】
【０００８】
実施形態の情報記録装置は、磁気記録媒体と記録制御手段とを具備する。磁気記録媒体はトラックを有する。記録制御手段は前記磁気記録媒体に対して、隣接するトラック同士の一部を重ね、且つ、隣接する複数のトラックからなるトラック群を複数定義し、前記トラック群のうちの第１のトラック群と当該第１のトラック群の隣となる第２のトラック群との間にトラックを設け、当該間に設けられたトラックに情報を記録するように制御する。
【図面の簡単な説明】
【０００９】
【図１】第１の実施形態に係る情報記録装置としての磁気ディスク装置（ＨＤＤ）を備える電子機器の構成を示すブロック図。
【図２】第１の実施形態に係るＨＤＤで実行される、トラック群を記録単位とし、隣接するトラック群間に有効に利用される境界トラックが設けられる瓦記録の一つの態様を説明するための概念図。
【図３】第１の実施形態で適用される境界トラックの用途の第１の具体例を説明するための概念図。
【図４】第１の実施形態に係るＨＤＤで実行される、バンド及び境界トラックに対する瓦記録処理の動作を説明するためのフローチャート。
【図５】第２の実施形態で適用される境界トラックの用途の第２の具体例を説明するための概念図。
【発明を実施するための形態】
【００１０】
［第１の実施形態］
以下、第１の実施形態について図面を用いて説明する。
図１は、本第１の実施形態に係る情報記録装置としての磁気ディスク装置（以下、ＨＤＤとも称する）１０を備える電子機器１５０の構成を示すブロック図である。また電子機器１５０はホスト装置１００を備えている。ＨＤＤ１０は、通信媒体（ホストＩ／Ｆ）１２０を介してホスト装置１００と接続され、ホスト装置１００の記憶モジュールとして機能する。ホストＩ／Ｆ１２０は、ホスト装置１００とＨＤＤ１０とを接続し、ホスト装置１００とＨＤＤ１０との間のデータ及びコマンドの送受に係る通信に利用される。例えば、電子機器１５０は、パーソナルコンピュータであり、ホスト装置１００は、パーソナルコンピュータに備えられるチップセットＩＣである。
【００１１】
本第１の実施形態に係るＨＤＤ１０は、磁気ディスク１、スライダ２、アーム３、ＶＣＭ（ボイスコイルモータ）４、及びＳＰＭ（スピンドルモータ）５などの機構部を有する。またＨＤＤ１０は、モータドライバ２１、ヘッドＩＣ２２、ＮＶＲＡＭ４３、及びコントローラ６０などの回路系ブロックを備える。コントローラ６０は、リードライトチャネルＩＣ（以下、ＲＤＣとも称する）３１、ＣＰＵ４１、ＲＡＭ４２、及びＨＤＣ（Hard Disc Controller）５０を含む。
【００１２】
本第１の実施形態に係るＨＤＤ１０では、スライダ２に備えられたライトヘッド（不図示）により、磁気ディスク１の記録面に情報が記録される。磁気ディスク１の記録面への情報の記録には、瓦記録と称される記録方式が適用される。瓦記録は、磁気ディスク１で定義されるトラックについて、隣接するトラックの一部を重ねて記録する（一部を上書きする）記録方式である。瓦記録では、複数の隣接するトラックからなるトラック群（以下、バンドとも称する）が記録単位として定義される。バンドに係る複数の重ねられたトラックのうちの対象トラックのみを記録し直すことはできず、少なくとも対象トラック以降に重ねられたトラックが書き直される。
【００１３】
また本第１の実施形態では、バンドと当該バンドの隣接バンドとの間に、少なくとも１本のトラックが設けられる。バンド間に設けられたトラックは、このトラックの両隣のトラック同士でのＡＴＩ（Adjacent Track Interference）の影響をより低減するために設けられている。ＡＴＩは、あるトラックが当該トラックの隣接トラックの情報保持に影響を及ぼし、磁気的干渉により発生する問題である。またこのトラックは、ホスト装置１００から送信されたデータを保持するためには利用されず他の用途に利用される。このバンド間に設けられたトラックにより、トラック群を記録単位とする瓦記録が適用された本第１の実施形態に係るＨＤＤ１０は、隣接するトラック群間に設けられたトラックを有効に利用することができる。
【００１４】
磁気ディスク１は、ＳＰＭ５に固定され、ＳＰＭ５が回転駆動することで回転する。磁気ディスク１の少なくとも一面は磁気的に情報が記録される記録面である。つまり、磁気ディスク１は磁気記録媒体である。記録面には例えば同心円の複数のトラックが定義され、各トラックはサーボ領域とデータ領域とを有する。サーボ領域には、磁気ディスク１の記録面上での物理的なアドレス情報が記録されている。また、ＨＤＤ１０に記録されるべき情報はデータ領域に記録される。本第１の実施形態では、磁気ディスク１のデータ領域に対する情報の記録方式として瓦記録が適用される。磁気ディスク１の記録面には、複数のトラックからなるバンドが複数定義される。バンドと当該バンドの隣接バンドとの間には、少なくとも１本のトラックが設けられる。これ以降の説明では、このバンド間に設けられるトラックを境界トラックとも称する。
【００１５】
スライダ２は、磁気ディスク１の記録面に対応するようにアーム３の一端に備えられる。スライダ２は、リードヘッド（不図示）及びライトヘッド（不図示）を備えている。リードヘッド（不図示）は、磁気ディスク１の記録面に磁気記録された信号を読み取る。読み取られた信号は、アーム３上の導体パターンを介してヘッドＩＣ２２へ出力される。ライトヘッド（不図示）は、ヘッドＩＣ２２からアーム３上の導体パターンを介して入力されるライト信号（ライト電流）に応じて、磁気ディスク１の記録面に磁気記録する。
【００１６】
アーム３は、一端にスライダ２、他端に軸受部（不図示）を備えている。アーム３は、ＶＣＭ４への駆動電流の供給に応じて、軸受部（不図示）を回転中心として回転し、磁気ディスク１の記録面上でスライダ２を半径方向に移動させる。
【００１７】
ＶＣＭ４は、モータドライバ２１から供給される駆動信号（電流）に応じて駆動し、アーム３を回転させる。
ＳＰＭ５は、モータドライバ２１から供給される駆動信号（電流）に応じて駆動し、磁気ディスク１を回転させる。
モータドライバ２１は、コントローラ６０（さらに具体的にはＣＰＵ４１）からの制御信号に基づいて、ＶＣＭ４を駆動するための駆動信号（電流）をＶＣＭ４へ、ＳＰＭ５を駆動するための駆動信号（電流）をＳＰＭ５へ供給する。
【００１８】
ヘッドＩＣ２２は、スライダ２に備えられたリードヘッド（不図示）からアーム３上の導体パターンを介して入力された信号を増幅し、増幅した信号をリード情報としてコントローラ６０（さらに具体的にはＲＤＣ３１）に出力する。またヘッドＩＣ２２は、コントローラ６０（ＲＤＣ３１）から入力された記録情報に応じたライト信号（ライト電流）を、スライダ２に備えられたライトヘッド（不図示）へ、アーム３上の導体パターンを介して出力する。
【００１９】
コントローラ６０は、ＲＤＣ３１、ＣＰＵ４１、ＲＡＭ４２、及びＨＤＣ５０等を含むＳｏＣ（System On
Chip）として構成される。コントローラ６０がＲＡＭ４２を含まず、コントローラ６０の外部にＲＡＭ４２が接続される構成であってもよい。コントローラ６０は、磁気ディスク１の記録面に定義される複数のバンド及び境界トラックに対して情報を記録する情報記録処理を行う。
【００２０】
ＲＤＣ３１は、ヘッドＩＣ２２から入力されたリード情報に所定の処理を施して復号化し、復号化した情報をＨＤＣ５０へ出力する。またＲＤＣ３１は、ＨＤＣ５０から入力された記録対象の情報に所定の処理を施して符号化し、この符号化した情報を記録情報としてヘッドＩＣ２２へ出力する。ＲＤＣ３１は、リード情報からサーボ領域を示すサーボ区間を検出し、検出したサーボ区間での信号から位置情報を抽出する。抽出された位置情報はＣＰＵ４１へ出力される。ＲＤＣ３１は、これらの処理のためにＲＡＭ４２をワークメモリとして利用する。
【００２１】
ＣＰＵ４１は、ＮＶＲＡＭ４３に記憶されたプログラムを実行することでＨＤＤ１０に備えられた各ブロックを制御するプロセッサである。例えばＣＰＵ４１は、ＶＣＭ４及びＳＰＭ５の回転制御処理、及び磁気ディスク１に対する情報記録処理を制御する。本第１の実施形態では、ＣＰＵ４１は、コントローラ６０がサーボコントローラ、又はリードライトコントローラとして動作するためのプログラムを実行する。コントローラ６０がリードライトコントローラとして動作する場合、瓦記録にて磁気ディスク１へ情報が記録される。またコントローラ６０は、情報の記録に際して、磁気ディスク１の記録面に定義される複数のバンドへの情報記録に関する情報を管理する。ＣＰＵ４１は、このようなプログラムの実行においてＲＡＭ４２をワークメモリとして利用する。
【００２２】
ＲＡＭ４２は、ＲＤＣ３１、ＣＰＵ４１及びＨＤＣ５０のワークメモリである。ＲＡＭ４２には揮発性メモリであるＤＲＡＭが適用される。
ＮＶＲＡＭ４３は、ＣＰＵ４１が実行するプログラムを記憶する不揮発性メモリである。ＮＶＲＡＭ４３に記憶されるプログラムは更新可能である。またＮＶＲＡＭ４３は、ＣＰＵ４１で実行される処理で利用されるパラメータ値を記憶する。
【００２３】
ＨＤＣ５０は、ホスト装置１００との間で情報を送信及び受信する通信処理を実行する。ＨＤＣ５０は、ＲＤＣ３１から入力された復号化した情報に所定の処理を施して符号化し、符号化した情報を送信情報としてホスト装置１００へ送信する。またＨＤＣ５０は、ホスト装置１００から受信した受信情報に所定の処理を施して復号化し、復号化した情報を記録対象の情報としてＲＤＣ３１へ出力する。例えばＨＤＣ５０は、ホスト装置１００との間でＳＡＴＡ（Serial Advanced Technology Attachment）規格に準拠した通信処理を実行する。ＨＤＣ５０は、ホスト装置１００から、データの記録を開始する論理アドレス及び記録データ長の情報を含むライトコマンドを受信した場合、受信したライトコマンドから論理アドレス及び記録データ長の情報を抽出する。抽出された論理アドレス及び記録データ長の情報はＣＰＵ４１へ出力される。
【００２４】
このような構成により、本第１の実施形態に係るＨＤＤ１０に備えられた複数のブロックによって、瓦記録方式により複数のトラックからなるバンド単位で磁気ディスク１に情報が記録される。磁気ディスク１の記録面には、バンドと当該バンドの隣接バンドとの間に少なくとも１本の境界トラックが設けられる。この境界トラックを利用することにより、トラック群を記録単位とする瓦記録が適用された本第１の実施形態に係るＨＤＤ１０は、隣接するトラック群間に設けられたトラックを有効に利用することができる。
【００２５】
次に、図２を用いて、本第１の実施形態に係るＨＤＤ１０で実行される、トラック群を記録単位とし、隣接するトラック群間に有効に利用される境界トラックが設けられる瓦記録の一つの態様を説明する。
【００２６】
図２は、本第１の実施形態に係るＨＤＤ１０で実行される、トラック群を記録単位とし、隣接するトラック群間に有効に利用される境界トラックが設けられる瓦記録の一つの態様を説明するための概念図である。
【００２７】
図２に示した概念図のように、記録ディスク１の記録面には、内周側と外周側とが定義される。記録面では、内周側から外周側に向かって、複数のトラックからなる複数のバンドｎ，ｎ＋１，…が配置される。複数のバンドｎ，ｎ＋１，…には、これらのバンドを管理するための識別子が割り当てられているが、この識別子の順序は内周側から外周側に向かう昇順であるとは限らない。バンドｎは複数のトラックＴｒ１，…，Ｔｒ９を含み、バンドｎ＋１は複数のトラックＴｒ１１，…，Ｔｒ１９を含む。
【００２８】
バンドｎでは瓦記録により情報が記録されるので、トラックＴｒ１の一部にはトラックＴｒ２が重ねられるようにして記録される。このトラックＴｒ２は、トラックＴｒ１に隣接するトラックである。バンドｎの他のトラック、バンドｎ＋１の複数のトラックも同様に説明することができる。また、バンドｎとバンドｎ＋１との間には、境界トラックＴｒ１０が設けられる。境界トラックＴｒ１０はトラックＴｒ９の一部に重ねられるようにして記録される。また境界トラックＴｒ１０の一部にはトラックＴｒ１１が重ねられるようにして記録される。境界トラックＴｒ１０は、トラックＴｒ９及びトラック１１に隣接するトラックである。前述したように、本第１の実施形態では、瓦記録によりバンド単位での情報記録処理が行われるが、例外的に、バンド間に設けられた境界トラックに対しては、バンド単位でなくトラック単位で情報が記録される。
【００２９】
バンドｎとバンドｎ＋１との間に設けられた境界トラックＴｒ１０は、バンドｎにもバンドｎ＋１にも含まれない。また、境界トラックＴｒ１０は、ホスト装置１００から送信されたデータを保持するためには利用されない。この境界トラックＴｒ１０に記録される情報は、バンドｎ及びバンドｎ＋１に記録される情報とは独立した情報である。境界トラックＴｒ１０が設けられることで、瓦記録によりバンドｎ＋１に含まれる複数のトラックの中で始めに記録されるトラックＴｒ１１からトラックＴｒ９へのＡＴＩの影響をより低減することが可能となる。本第１の実施形態では、境界トラックＴｒ１０は、ＡＴＩの影響をより低減するためだけでなく、他の用途でも有効に利用される。
【００３０】
なお、この概念図では、バンドｎ，ｎ＋１，…が９本のトラックからなるトラック群として説明したが、各バンドを構成するトラックは９本に限定されない。また、この概念図では、バンドｎとバンドｎ＋１との間の境界トラックの数は１本であるが２本以上であってもよい。
【００３１】
このようにして、瓦記録の記録単位であるトラック群と当該トラック群の隣のトラック群との間に、複数の用途に利用される境界トラックが設けられることにより、本第１の実施形態に係るＨＤＤ１０は、瓦記録において隣接するトラック群間に設けられたトラックを有効に利用することができる。
【００３２】
次に、図３を用いて、本第１の実施形態で適用される境界トラックの用途の第１の具体例を説明する。
図３は、本第１の実施形態で適用される境界トラックの用途の第１の具体例を説明するための概念図である。
前述したように、本第１の実施形態に係るＨＤＤ１０が備える記録ディスク１では、複数のトラックＴｒ１，…，Ｔｒ９を含むバンドｎと、複数のトラックＴｒ１１，…，Ｔｒ１９を含むバンドｎ＋１との間に、境界トラックＴｒ１０が設けられる。本第１の実施形態では、境界トラックＴｒ１０は、トラックＴｒ１１からトラックＴｒ９へのＡＴＩの影響をより低減する用途以外に、このＡＴＩの影響を判定する用途に利用される。
【００３３】
境界トラックＴｒ１０には、ＡＴＩ判定用データが記録される。ＡＴＩ判定用データは、特別なデータではない。例えば、ＡＴＩ判定用データは、特定の繰り返し信号パターンを有するデータ、エラーレートを計測することができるデータ、又はＶＭＭ（Viterbi Metrics Margin）を判定することができるデータ、などであればよい。ＨＤＤ１０内部に、このようなＡＴＩ判定用データを予め用意しておく必要はない。例えば、ホスト装置１００から送信されたデータの一部から、境界トラックＴｒ１０のデータ量相当分を抽出して利用してもよい。
【００３４】
境界トラックＴｒ１０に記録されたＡＴＩ判定用データは、所定のタイミングで読み出される。読み出されたＡＴＩ判定用データを評価することで、トラックＴｒ１１からトラックＴｒ９へのＡＴＩの影響が発生しているか否かを判定することが可能となる。例えば、ＡＴＩ判定用データが特定の繰り返し信号パターンを有するデータである場合は、特定の繰り返し信号パターンが正しく読み出されたか否かを評価することで判定することができる。またＡＴＩ判定用データが、エラーレートを計測することができるデータや、ＶＭＭを判定することができるデータ、などである場合、所定のエラーレートやＶＭＭ値との比較による評価で判定することができる。
【００３５】
このようにして本第１の実施形態では、境界トラックＴｒ１０が、ＡＴＩの影響をより低減する用途以外に、ＡＴＩの影響を判定するための用途に利用される。従って、本第１の実施形態に係るＨＤＤ１０は、瓦記録において隣接するトラック群間に設けられたトラックを有効に利用することができる。
【００３６】
次に、図４を用いて、本第１の実施形態に係るＨＤＤ１０で実行される、バンド及び境界トラックに対する瓦記録処理の動作を説明する。
図４は、本第１の実施形態に係るＨＤＤ１０で実行される、バンド及び境界トラックに対する瓦記録処理の動作を説明するためのフローチャートである。
図４のフローチャートによる動作は、図３に示した概念図のようにバンドｎとバンドｎ＋１との間に隣接トラックＴｒ１０が設けられている態様で適用される。バンドｎには、ライトカウンタが対応付けられる。バンドｎに対応付けられたライトカウンタは、バンドｎ又はバンドｎ＋１に対する情報の記録に応じて更新される値である。バンドｎ＋１にも同様にライトカウンタが対応付けられるが、これ以降の説明では、バンドｎのライトカウンタへの処理について説明する。
【００３７】
バンドｎへ情報が記録された後、バンドｎに対応付けられたライトカウンタはクリアされて“０”となる。これは、バンドｎに対してＡＴＩの影響が発生しそうな状態であっても、バンドｎへの新たな記録により、バンドｎがＡＴＩの影響を受けていない状態となるためである。図４のフローチャートによる動作は、図３に示した概念図のバンドｎに情報が既に記録され、且つ、バンドｎに対応付けられたライトカウンタが“０”である状態で開始される。
【００３８】
バンドｎ＋１へのライト処理の要求が受信される（Ｓ４０１）と、バンドｎに対応付けられたライトカウンタ（これ以降では、ライトカウンタＢｎとも称する）が、“０”であるか否かが判定される（Ｓ４０２）。ライトカウンタＢｎが“０”である場合（Ｓ４０２のＹｅｓ）、境界トラックＴｒ１０に対して、ＡＴＩ評価用データが記録される（Ｓ４０３）。その後、要求されたライト処理がバンドｎ＋１に対して実行され（Ｓ４０４）、ライトカウンタＢｎは１つ加算され、すなわち“１”となる（Ｓ４０５）。そして、バンドｎ＋１へのライト処理の要求に対する応答は終了する。
【００３９】
一方、ライトカウンタＢｎが“０”でない場合（Ｓ４０２のＮｏ）、境界トラックＴｒ１０に記録されているＡＴＩ評価用データが読み出され（Ｓ４０６）、要求されたライト処理がバンドｎ＋１に対して実行される（Ｓ４０７）。その後、読み出されたＡＴＩ評価用データが評価される（Ｓ４０８）。評価の結果、読み出されたＡＴＩ評価用データに問題がない場合（Ｓ４０８のＹｅｓ）、バンドｎ＋１へのライト処理の要求に対する応答は終了する。
【００４０】
一方、読み出されたＡＴＩ評価用データに問題がある場合（Ｓ４０８のＮｏ）、ライトカウンタＢｎが１つ加算される（Ｓ４０９）。その後、加算後のライトカウンタＢｎが所定の閾値以上であるかが判定され（Ｓ４１０）、閾値以上である場合（Ｓ４１０のＹｅｓ）、バンドｎに記録されている情報が読み出されて記録し直される（Ｓ４１１）。すなわち、バンドｎに記録されている情報はリフレッシュされる。バンドｎに対するリフレッシュの後、バンドｎ＋１へのライト処理の要求に対する応答は終了する。また、ライトカウンタＢｎが閾値以上でない場合（Ｓ４１０のＮｏ）も、バンドｎ＋１へのライト処理の要求に対する応答は終了する。
【００４１】
このような手順により、本第１の実施形態に係るＨＤＤ１０による、バンド及び境界トラックに対する瓦記録処理が実行される。この処理では、隣接するバンド間に設けられる境界トラックが、このバンド同士によるＡＴＩの影響をより低減する用途以外に、ＡＴＩの影響を判定するための用途に利用される。またこの処理では、バンドｎに対応付けられたライトカウンタの値、及び、境界トラックから読み出されたＡＴＩ評価用データの評価結果に応じて、後続する動作が決定される。すなわち、本第１の実施形態に係るＨＤＤ１０は、トラック群を記録単位とする瓦記録が適用された情報記録装置において、隣接するトラック群間に設けられたトラックを有効に利用することができる。
【００４２】
［第２の実施形態］
以下、第２の実施形態について主に図５を用いて説明する。
本第２の実施形態は、図１に示したブロック図を適用する情報記録装置で実現される。また本第２の実施形態に係る情報記録装置おいても、図２に示した概念図のような瓦記録の態様が適用される。本第２の実施形態では、境界トラックの用途が第1の実施形態とは異なり、従ってこれ以降では、この異なる点について詳細に説明する。
【００４３】
図５は、本第２の実施形態で適用される境界トラックの用途の第２の具体例を説明するための概念図である。
本第２の実施形態に係るＨＤＤ１０が備える記録ディスク１でも、複数のトラックＴｒ１，…，Ｔｒ９を含むバンドｎと、複数のトラックＴｒ１１，…，Ｔｒ１９を含むバンドｎ＋１との間に、境界トラックＴｒ１０が設けられる。本第２の実施形態では、境界トラックＴｒ１０は、トラックＴｒ１１からトラックＴｒ９へのＡＴＩの影響をより低減する用途以外に、バンドｎ＋１の管理データを記憶する用途に利用される。つまり、境界トラックＴｒ１０には、バンドｎ＋１に関する管理データが記憶される。また、バンドｎ＋１のトラックＴｒ１９の隣には、バンドｎ＋２の管理データを記憶する用途に用いられる隣接トラックＴｒ２０が設けられる。さらに、隣接トラックＴｒ２０は、トラックＴｒ２１からトラックＴｒ１９へのＡＴＩの影響をより低減する用途にも利用される。
【００４４】
管理データは、バンドｎ＋１がスペアバンドであるか否か、バンドｎ＋１に記録されているデータの論理アドレス、バンドｎ＋１の論理的な記録順序、などの情報を示すデータである。スペアバンドは、新たな情報の記録が可能なバンドとして定義される。瓦記録処理においては、基本的に常時少なくとも１つのスペアバンドが確保されている。瓦記録では、新たな情報の記録が要求されると、この新たな情報はスペアバンドに記録される。また、あるバンドに記録されているデータを書き直す場合、当該バンドに記録されたデータはスペアバンドに書き写され、元のバンドはスペアバンドに切り替えられる。すなわち、スペアバンドに記録されているデータは無効なデータである。
【００４５】
例えば、あるバンドがスペアバンドに切り替わる際、当該バンドに関する管理データが記録される隣接トラックに対して、このバンドがスペアバンドであることを示すデータが記録される。このことで、隣接トラックに対する記録／再生のみで、このバンドがスペアバンドであることを把握することが可能となる。また、あるバンドの論理的な記録順序が管理データに記録されることで、記録順序が最も大きなバンドは、これまでにスペアバンドであったことを把握することが可能となる。さらに、あるバンドに記録されるデータの論理アドレスが記録され、当該バンドに記録されたデータの書き換えが行われる場合を想定する。この場合、書き換え先のバンドの管理データを更新した後、書き換え先のバンドのデータを書き写し、その後に書き換え元の管理データを更新することで、例えば、何れかのデータの書き換え中に記録が失敗したとしても、元のデータは何れかのバンドに記録されて残っているため、論理アドレスを辿ることでこのデータを復元することが可能となる。
【００４６】
このようにして本第２の実施形態では、境界トラックが、ＡＴＩの影響をより低減する用途以外に、バンドに関する管理データを記録用途に利用される。従って、本第２の実施形態に係るＨＤＤ１０は、瓦記録において隣接するトラック群間に設けられたトラックを有効に利用することができる。
【００４７】
以上説明したように複数の実施形態によれば、バンド間に隣接トラックが設けられる瓦記録によって磁気ディスク１に情報が記録される。この処理では、境界トラックが、このバンド同士によるＡＴＩの影響をより低減する用途だけでなく、他の用途にも利用される。こうして隣接トラックが、複数の用途に利用されることで、磁気ディスクの記録面を有効に利用することが可能となる。すなわち、本実施形態に係るＨＤＤ１０によれば、瓦記録において隣接するトラック群間に設けられたトラックを有効に利用することができる。
【００４８】
なお、少なくとも二つの実施形態を説明したが、説明した実施形態は一例として提示したものであり、発明の範囲はこの実施形態に限定されない。また、説明した実施形態は、本発明の要旨を変えない範囲において、種々の変更、改変等が可能である。さらに、前述した実施形態に開示されている複数の構成要素を適宜に組み合わせることにより、種々の発明を形成することができる。例えば、実施形態に示される全構成要素から幾つかの構成要素を削除してもよく、さらに、異なる実施形態に係る構成要素を適宜組み合わせても良い。これらの実施形態やその変形は、発明の範囲や要旨に含まれ、特許請求の範囲に記載された発明と、その均等の範囲に含まれるものである。
【符号の説明】
【００４９】
１…磁気ディスク、２…スライダ、３…アーム、４…ＶＣＭ（ボイスコイルモータ）、５…ＳＰＭ（スピンドルモータ）、１０…磁気ディスク装置（ＨＤＤ）、２１…モータドライバ、２２…ヘッドＩＣ、３１…リードライトチャネルＩＣ（ＲＤＣ）、４１…ＣＰＵ、４２…ＲＡＭ、４３…ＮＶＲＡＭ、５０…ＨＤＣ（Hard Disc Controller）、６０…コントローラ、１００…ホスト装置、１２０…通信媒体（ホストＩ／Ｆ）、１５０…電子機器。
【図１】
2012174325.tif 000003
【図２】
2012174325.tif 000004
【図３】
2012174325.tif 000005
【図４】
2012174325.tif 000006
【図５】
2012174325.tif 000007